(57)【要約】【課題】趣味性及びエンターテイメント性を有し、携帯しやすくする回転体を提供する。【解決手段】支持体４、モーター本体６２及びアクチュエーター８を収容する回転ケース２に開口が設けられ、この開口に支持体４が露出する。支持体４にモーター本体６２の出力軸６８が固定され、モーター本体６２を固定するアクチュエーター８は回転ケース２に固定されている。これにより、任意物体上で支持体４の周りに回転ケース２が自動的に相対回動可能である。このため、格別に特定な支持ベースを配置することなしに、回転体の構造を簡略化し、回転体をより趣味性及びエンターテイメント性を有するようにでき、さらに携帯しやすくできる。【選択図】図１
0003136177.tif 000002
【実用新案登録請求の範囲】
【請求項１】
回転ケースと、支持体と、前記支持体に接続された駆動手段と、この駆動手段に接続され、前記回転ケースと固定的に接続されたアクチュエーターとを備え、
前記支持体、前記駆動手段、及び前記アクチュエーターは、前記回転ケース内に収容され、前記回転ケースには開口を設けられ、前記支持体は、前記開口で露出され、
前記駆動手段は、モーター本体と、このモーター本体と電気的に接続された電源供給装置と、前記モーター本体から伸び出した出力軸とを含み、
前記モーターの本体は、前記アクチュエーターと固定的に接続され、前記出力軸は、前記支持体と固定的に接続されている自動回転体。
【請求項２】
前記支持体は、前記回転ケースに非接触で前記開口に収容され、その露出された外表面は、前記回転ケースの完整性を保持するように実質的に前記回転ケースの一部を構成し、前記支持体の開口から離れた一端には、前記出力軸と固定的に接続されるための固定穴を設けた請求項１に記載の自動回転体。
【請求項３】
前記モーター本体の前記支持体に対向する側面にはランドを設け、前記ランドは、前記アクチュエーターと固定的に接続し、前記アクチュエーターは、円筒状であり、その上には前記ランドを収容するための接続穴を設け、前記出力軸は、前記ランドから伸び出され、前記支持体と固定的に接続されている請求項１に記載の自動回転体。
【請求項４】
前記アクチュエーターの側壁と前記駆動手段の前記出力軸との間に軸受を実装した請求項１に記載の自動回転体。
【請求項５】
前記電源供給装置は、前記モーター本体と電気的に接続された電池取付座と、前記電池取付座に取り付けられた電池とを備え、前記電池取付座は、前記回転ケースに設けられ、前記電池取付座のキャップは、前記回転ケースと前記電池取付座の接続位置に設けられ、前記回転ケースは、第１及び第２のケースを備え、前記第１及び第２のケースは、取り外し不可能に一体に固定的に接続されている請求項１に記載の自動回転体。
【請求項６】
前記電源供給装置と前記モーター本体とが接続されている回路には、鋼球接触導通式スイッチを設け、前記回転ケースは球体である請求項１に記載の自動回転体。
【考案の詳細な説明】
【技術分野】
【０００１】
本考案は、回転体に関し、特に、その内部に駆動手段及び駆動手段と固定的に接続された支持体を設けることにより、駆動手段の駆動によって支持体を回って回転させることができる自動回転体に関する。
【背景技術】
【０００２】
工芸品が日増しに発展するにつれて、工芸品に対する趣味性とエンターテイメント性の要求がだんだん高まりつつあり、多くの工芸品も静的から動的へ発展していく。例えば、従来の地球儀は静的なものであったが、その趣味性及びエンターテイメント性を高めるために、支持ベースを回って回動可能な地球儀が生じていた。現行の工芸品の回転体は、通常、外部の支持ベースに取り付けられ、駆動手段により回転体を駆動して当該支持ベースを回って回動させる。
【０００３】
しかしながら、回転体は支持ベースから分離することができないため、工芸品全体は支持ベースのデザインに制限され、工芸品の趣味性及びエンターテイメント性を高めるのに不利であることはいうまでもない。支持ベースも工芸品全体を大型化させ、携帯し難くなる。
【０００４】
そして、出願人は回転体の内部に駆動手段及び駆動手段と固定的に接続された支持体を設けることにより、当該回転体を駆動手段の駆動により当該支持体を回って回転させることができる。しかし、駆動手段と支持体の接続配合方式を、構造がより簡単で、コストがより低いようにさらに改善することができる。
【考案の開示】
【考案が解決しようとする課題】
【０００５】
本考案は、その内部に駆動手段及び駆動手段と固定的に接続された支持体を設けることにより、任意物体上で支持体の周りに自動的に相対回動可能な回転体を提供することを目的とする。
本考案の別の目的は、回転体をより趣味性及びエンターテイメント性を有し、さらに携帯しやすく、且つ駆動手段の出力軸を支持体に直接に固定的に接続させて、駆動手段の本体とアクチュエーターとを固定的に接続させることにより、回転体の構造を簡略化し、コストダウンを有利にする回転体を提供することにある。
【課題を解決するための手段】
【０００６】
上記した目的を達成するために、本考案の自動回転体は、回転ケースと、支持体と、前記支持体に接続された駆動手段と、この駆動手段に接続され、前記回転ケースと固定的に接続されたアクチュエーターとを備える。前記支持体、前記駆動手段、及び前記アクチュエーターは、前記回転ケース内に収容され、前記回転ケースには開口を設けられ、前記支持体は、前記開口で露出される。
前記駆動手段は、モーター本体と、このモーター本体と電気的に接続された電源供給装置と、前記モーター本体から伸び出した出力軸とを含む。前記モーターの本体は、前記アクチュエーターと固定的に接続され、前記出力軸は、前記支持体と固定的に接続されている。
（考案の効果）
【０００７】
本考案に係る自動回転体によれば、その構造が簡単であり、便利であり、回転体の趣味性及びエンターテイメント性を高め、且つ回転体の携帯に有利である。
【考案を実施するための最良の形態】
【０００８】
以下、本考案を実施するための最良の形態について複数の実施例を図面に基づいて説明する。
（第１実施例）
【０００９】
図１から図３を参照すると、本考案に係る第１の実施例の自動回転体は、回転ケース２と、支持体４と、支持体４に接続された駆動手段６と、駆動手段６に接続され、回転ケース２と固定的に接続されたアクチュエーター８とを備える。
支持体４、駆動手段６、及びアクチュエーター８は、いずれも回転ケース２内に収容される。この回転ケース２に開口２０が設けられ、開口２０に嵌る支持体４は、開口２０で少し露出し、その露出した外表面は、実質的に回転ケース２の一部を構成し、回転ケース２の完整性を保持する。本実施例において、この回転ケース２は球体モデルである。
本実施例において、この回転ケース２は、第１のケース２２と、第１のケース２２に接続された第２のケース２４とを備え、第１のケース２２と第２のケース２４の内部に駆動手段６を取り付ける。本実施例において、アクチュエーター８は、回転ケース２と一体に成形されてなる。
【００１０】
支持体４は、回転ケース２の開口２０に収容され、且つ開口２０とは接触されない。支持体４の露出された表面は、回転ケース２の外表面の完整性を図るために実質的に回転ケース２の外表面の一部を構成し、このことにより、回転ケース２全体のモデリングに影響を与えないようにする。支持体４は、円盤状の支持部４２と、支持部４２から伸び出された柱状の接続部４４とを有し、接続部４４の自由端には、駆動手段６と固定的に接続される固定穴４６を設けている。本考案に係る自動回転体を他の物体上に置いて回転させるとき、回転ケース２は支持体４を遮り、一般の観覧者には支持体４が見えることがない。従って趣味性を増やしていく。
【００１１】
駆動手段６は、モーター本体６２と、モーター本体６２から伸び出した回動可能な出力軸６８とを備える。駆動手段６は、モーター本体６２と、モーター本体と電気的に接続された電池取付座６３と、電池取付座６３に取り付けられた電池６４とを備える。モーター本体６２と電気的に接続された電池取付座６３及び電池取付座６３に取り付けられた電池６４は電源供給装置を構成する。駆動手段６の出力軸は、モーター本体６２から伸び出した出力軸６８である。駆動手段６のモーター本体６２はアクチュエーター８と固定的に接続される。出力軸６８は、支持体４の固定穴４６に挿込されることにより、支持体４と固定的に接続される。本実施例において、モーター本体６２に設けられるランド６６は、その外周側面がアクチュエーター８の内壁に固定的に接続される。アクチュエーター８は、円筒状であり、その上には、ランド６６を収容するための接続穴８２を設けている。出力軸６８は、ランド６６から伸び出され、且つ支持体の固定穴４６に挿込されることにより、駆動手段６の出力軸６８を支持体４に固定的に接続させる。電池６４は、乾電池、充電電池などでもよく、モーターは減速モーターであってもよい。
【００１２】
モーター本体６２は電源に接続されてオンした後、モーター本体６２の出力軸６８は、回転ケース２をこの支持体４を回って回動するようにアクチュエーター８を駆動することができ、当該支持体４は回転ケース２と直接に接触されていないため、回転ケース２が駆動手段６により駆動されて回動する場合、該支持体４は固定されて変動されない。これにより、本考案の自動回転体を整体的に他の物体の位置に対して固定し変動しないように確保する。
（第２実施例）
【００１３】
図４に示すように、本考案に係る第２の実施例において、アクチュエーター８の内側壁と出力軸６８との間に軸受１０を実装する。軸受１０の内輪は出力軸６８と固定的に接続され、軸受１０の外輪はアクチュエーター８の内側壁と固定的に接続されている。回転ケース２は、アクチュエーター８、ランド６６を経由してモーター本体６２に固定されている。回転ケース２と出力軸６８は、相対的に回動可能な位置関係を確保している。軸受１０は、スライド軸受又はベアリングを採用してもよい。
（第３実施例）
【００１４】
図５、図６に示すように、本考案に係る第３の実施例において、駆動手段６の電池取付座６３’は回転ケース２に設けられ、電池取付座６３’は、図示しない電池を収容する構造である。電池取付座のキャップ７２は、回転ケース２と電池取付座６３’の接続位置に設けられ、キャップ７２を開いて電池を換えることができる。電池取付座６３’に収容される図示しない電池から、電池取付座６３’を経由して電流がモーター本体６２に供給されるように電池取付座６３’とモーター本体６２が電気的に接続される。
本実施例によると、キャップ７２を開いて電池交換することができるため、第１ケース２２及び第２のケース２４を開く必要がないため、第１ケース２２及び第２のケース２４を取り外し不可能に固定的に接続することができる。
【００１５】
（他の実施例）
１つの選択的実施例として、電池取付座とモーターとの接続された回路にスイッチ（図示せず）を設けてもよく、このようなスイッチは、現行の鋼球接触導通式スイッチであってもよい。
本考案の回転ケースは、如何なる形状でもよい。アクチュエーターは、回転ケースと個別的に製造され、固定的に接続されてもよい。電池取付座のキャップと電池取付座は従来の技術を採用して接続されてもよい。
（産業上の利用可能性）
【００１６】
本考案の自動回転体による回転ケースは、任意物体上で支持体の周りに自動的に回動可能であり、格別に特定な支持ベースを配置する必要はなく、回転体の構造を簡略化でき、回転体をより趣味性及びエンターテイメント性を有するようにでき、さらに携帯しやすくすることができる。且つ、駆動手段の出力軸を支持体に直接に固定的に接続させ、駆動手段の本体とアクチュエーターとを固定的に接続させることにより、回転体の構造を簡略化し、コストダウンを有利にすることができる。
【図面の簡単な説明】
【００１７】
【図１】本考案に係る第１実施例による自動回転体の分解斜視図である。
【図２】図１に示す自動回転体の組立図である。
【図３】図２における３-３方向線断面図である。
【図４】本考案に係る第２実施例による自動回転体を示す断面図である。
【図５】本考案に係る第３実施例による自動回転体の分解斜視図である。
【図６】図５に示す自動回転体の断面図である。
【符号の説明】
【００１８】
２：回転ケース、４：支持体、６：駆動手段、８：アクチュエーター、１０：軸受、２０：開口、２２：第１のケース、２４：第２のケース、４２：支持部、４４：接続部、４６：固定穴、６２：モーター本体、６３：電池取付座、６３’：電池取付座、６４：電池、６８：出力軸、６６：ランド、８２：接続穴、７２：キャップ
【図１】
0003136177.tif 000003
【図２】
0003136177.tif 000004
【図３】
0003136177.tif 000005
【図４】
0003136177.tif 000006
【図５】
0003136177.tif 000007
【図６】
0003136177.tif 000008